(57)【要約】【課題】股間に対しても臀部に対しても吸収コアをフィットさせ、漏れをより抑制できる吸収性物品を提供する。【解決手段】吸収性物品（10）は、互いに直交する前後方向（L）及び幅方向(W)と、前後方向の中央を含む股下域(S3)、前側域(S1)及び後側域(S2)と、吸収コア(50)と、を有する。吸収コアには、前後方向に延びる一対のサイドスリット(52)と、幅方向における一対のサイドスリット間に位置し、かつ前後方向に延びる中央スリット(55)と、が設けられている。中央スリットは、吸収性物品の前後方向の中心である物品中心(10CL)を跨り、かつ物品中心から後側に向かって延びている。サイドスリットは、サイドスリットの内側縁が前側から後側に向かって幅方向の外側に延びる湾曲部(52B)を有する。【選択図】図１
2020010850.tif 000002
【特許請求の範囲】
【請求項１】
互いに直交する前後方向及び幅方向と、
前記前後方向の中央を含む股下域、前記股下域よりも前側に位置する前側域及び前記股下域よりも後側に位置する後側域と、
少なくとも前記股下域及び前記後側域に配置された吸収コアと、を有する吸収性物品であって、
前記吸収コアには、前記前後方向に延びる一対のサイドスリットと、前記幅方向において前記一対のサイドスリット間に位置し、かつ前記前後方向に延びる中央スリットと、が設けられており、
前記中央スリットは、前記吸収性物品の前記前後方向の中心である物品中心を跨り、かつ前記物品中心から後側に向かって延びており、
前記サイドスリットは、前記サイドスリットの内側縁が前側から後側に向かって前記幅方向の外側に延びる湾曲部を有する、吸収性物品。
【請求項２】
前記サイドスリットは、前記サイドスリットの前記幅方向の長さが前側から後側に向かって短くなる幅狭部を有する、請求項１に記載の吸収性物品。
【請求項３】
前記中央スリットの前記幅方向の最大長さは、各サイドスリットの前記幅方向の最大長さよりも短い、請求項１又は請求項２に記載の吸収性物品。
【請求項４】
前記後側域において前記幅方向の外側に延出し、かつ前記前側域に係合する係合部を有するファスニングテープと、を備え、
前記中央スリットの後端縁は、前記係合部から前記幅方向に延びる係合配置領域よりも前側に位置する、請求項１から請求項３のいずれか１項に記載の吸収性物品。
【請求項５】
前記サイドスリットの後端縁は、前記中央スリットの後端縁よりも前側に位置する、請求項１から請求項４のいずれか１項に記載の吸収性物品。
【請求項６】
前記吸収コアよりも前記幅方向の外側において前記前後方向に伸縮する脚回り弾性部材を有し、
前記脚回り弾性部材は、前記中央スリットの後端縁よりも後側に延びている、請求項１から請求項５のいずれか１項に記載の吸収性物品。
【請求項７】
前記湾曲部の少なくとも一部は、前記物品中心よりも後側に位置する、請求項１から請求項６のいずれか１項に記載の吸収性物品。
【発明の詳細な説明】
【技術分野】
【０００１】
本発明は、使い捨ておむつのような吸収性物品に関する。
【背景技術】
【０００２】
特許文献１には、前後方向に延びるスリットを有する吸収性物品が開示されている。特許文献１のスリットは、一対のサイドスリットと、幅方向においてサイドスリットの間に位置する中央スリットと、を有する。サイドスリット及び中央スリットは、前後方向に沿って延びている。このように構成された吸収性物品では、股下域に排出された体液を中央スリット及びサイドスリットによって前後方向に拡散できる。よって、吸収コアの前後方向の全域に亘って吸収コアを有効に活用できる。
【先行技術文献】
【特許文献】
【０００３】
【特許文献１】特開平９−５１９１３号公報
【発明の概要】
【０００４】
特許文献１のように構成された吸収性物品では、着用時に幅方向の内側に向かう力が掛かると、中央スリット及びサイドスリットを基点に変形することがある。このとき、中央スリット及びサイドスリットの全体が前後方向に沿っているため、吸収コアの変形基点も前後方向に沿って形成される。しかし、身体の形状は、前後方向において一定ではなく、股間と臀部とでは異なり、股間と臀部の両方にフィットし難いことがある。そのため、股間に対しても臀部に対しても吸収コアをフィットさせ、漏れをより抑制できる吸収性物品が望まれる。
【０００５】
よって、股間に対しても臀部に対しても吸収コアをフィットさせ、漏れをより抑制できる吸収性物品を提供することを目的とする。
【課題を解決するための手段】
【０００６】
一態様に係る吸収性物品は、互いに直交する前後方向及び幅方向と、前記前後方向の中央を含む股下域、前記股下域よりも前側に位置する前側域及び前記股下域よりも後側に位置する後側域と、少なくとも前記股下域及び前記後側域に配置された吸収コアと、を有する吸収性物品であって、前記吸収コアには、前記前後方向に延びる一対のサイドスリットと、前記幅方向における前記一対のサイドスリット間に位置し、かつ前記前後方向に延びる中央スリットと、が設けられており、前記中央スリットは、前記吸収性物品の前記前後方向の中心である物品中心を跨り、かつ前記物品中心から後側に向かって延びており、前記サイドスリットは、前記サイドスリットの内側縁が前側から後側に向かって前記幅方向の外側に延びる湾曲部を有する。
【図面の簡単な説明】
【０００７】
【図１】実施形態に係る吸収性物品を肌面側から見た平面図である。
【図２】実施の形態に係る吸収コアを肌面側から見た平面図である。
【図３】図１に示すＡ−Ａ線に沿った断面図である。
【図４】図１に示すＢ−Ｂ線に沿った断面図である。
【図５】Ａ−Ａ線に沿った断面の吸収コアの変形態様を示す図である。
【図６】Ｂ−Ｂ線に沿った断面の吸収コアの変形態様を示す図である。
【発明を実施するための形態】
【０００８】
（１）実施形態の概要
本明細書及び添付図面の記載により、少なくとも以下の事項が明らかとなる。
一態様に係る吸収性物品は、互いに直交する前後方向及び幅方向と、前記前後方向の中央を含む股下域、前記股下域よりも前側に位置する前側域及び前記股下域よりも後側に位置する後側域と、少なくとも前記股下域及び前記後側域に配置された吸収コアと、を有する吸収性物品であって、前記吸収コアには、前記前後方向に延びる一対のサイドスリットと、前記幅方向における前記一対のサイドスリット間に位置し、かつ前記前後方向に延びる中央スリットと、が設けられており、前記中央スリットは、前記吸収性物品の前記前後方向の中心である物品中心を跨り、かつ前記物品中心から後側に向かって延びており、前記サイドスリットは、前記サイドスリットの内側縁が前側から後側に向かって前記幅方向の外側に延びる湾曲部を有する。
【０００９】
吸収コアは、着用時に幅方向の内側に向かう力が掛かった際に中央スリット及びサイドスリットを基点に変形し易い。このとき、湾曲部ではサイドスリットの内側縁が後側に向かって幅方向の外側に延びているため、サイドスリットによって挟まれた領域の幅は、後方に向かって長くなる。サイドスリット間の領域を後方に向かって広く設けることができ、吸収コアを臀部に対して広く当てて漏れを抑制できる。また、サイドスリットによって挟まれた領域には、中央スリットが形成されている。中央スリットを基点に吸収コアが厚さ方向に変形し、中央スリットを頂点とした凸部が臀部間の隙間に配置されることがある。臀部間の隙間に吸収コアが配置されることにより、体液を吸収コアに引き込み、体液が身体を伝わって流れることによる漏れを抑制できる。
【００１０】
湾曲部では、サイドスリットによって挟まれた領域の幅が前方に向かって短くなる。よって、両足間に収まるように吸収コアを配置できる。よって、股間に対して吸収コアがフィットし、漏れを抑制できる。
【００１１】
好ましい一態様によれば、前記サイドスリットは、前記サイドスリットの前記幅方向の長さが前側から後側に向かって短くなる幅狭部を有してよい。
【００１２】
吸収コアは、着用時に幅方向の内側に向かう力が掛かった際にサイドスリットによって幅方向の内側に入り込むことができる。このとき、幅方向の内側に入り込むことができる最大長さは、サイドスリットの幅方向の長さとなる。幅狭部では、後側に向かって幅方向の内側に入り込む長さが短くなり、吸収コアの幅方向の長さを確保し易い。よって、後側に向かって吸収コアの面積を広く確保ができ、後漏れを抑制できる。
【００１３】
好ましい一態様によれば、前記中央スリットの前記幅方向の最大長さは、各サイドスリットの前記幅方向の最大長さよりも短くてよい。
【００１４】
本態様によれば、中央スリットは、サイドスリットと比較して、幅方向の長さが短く、小さい力であってもより変形し易い。臀部間の隙間に対向して配置される領域は、両足によって挟まれる領域よりも後側に位置し、脚による力を受けにくい。当該力が受けにくい領域においても、中央スリットを基点に吸収コアが変形し、臀部間の隙間に吸収コアをより配置し易くなる。
【００１５】
好ましい一態様によれば、前記後側域において前記幅方向の外側に延出し、かつ前記前側域に係合する係合部を有するファスニングテープと、を備え、前記中央スリットの後端縁は、前記係合部から前記幅方向に延びる係合配置領域よりも前側に位置してよい。
【００１６】
本態様によれば、係合配置領域は、装着時に身体に密着する領域であり、吸収コアが厚さ方向に変形し難い。当該領域に中央スリットを設けたとしても厚さ方向の変形に寄与しにくい。係合配置領域に中央スリットを設けないことにより、係合配置領域における吸収容量を確保でき、後漏れを抑制できる。
【００１７】
好ましい一態様によれば、前記サイドスリットの後端縁は、前記中央スリットの後端縁よりも前側に位置してよい。
【００１８】
本態様によれば、サイドスリットよりも後側の領域では、中央スリットのみを基点に吸収コアが変形する。臀部の隙間に沿うように吸収コアを変形させ、かつ中央スリットを挟んだ両側の領域によって、左右の臀部を覆い、横漏れを抑制できる。また、中央スリットの後端縁が係合配置領域よりも前側に位置する構成にあっては、サイドスリットも係合配置領域に設けられないため、係合配置領域における吸収容量をより確保できる。
【００１９】
好ましい一態様によれば、前記吸収コアよりも前記幅方向の外側において前記前後方向に伸縮する脚回り弾性部材を有し、前記脚回り弾性部材は、前記中央スリットの後端縁よりも後側に延びてよい。
【００２０】
本態様によれば、中央スリットを頂点とした凸状に吸収コアが変形すると、吸収コアの外側部は、身体から離れる方向に変形する。このとき、吸収コアよりも幅方向の外側に位置する脚回り弾性部材の収縮によって、吸収コアの外側部を身体に近づけて配置できる。脚回り弾性部材の後端縁が中央スリットの後端縁よりも後側に位置するため、中央スリットを頂点とした凸状に吸収コアが変形した場合に、吸収コアの外側部を身体から離れた状態のままとせず、吸収コアの外側部を身体にフィットさせることができる。よって、横漏れをより抑制できる。
【００２１】
好ましい一態様によれば、前記湾曲部の少なくとも一部は、前記物品中心よりも後側に位置してよい。
【００２２】
本態様によれば、物品中心よりも後側において、サイドスリット間の領域を後側に向かって広く設けることができ、吸収コアを臀部に対して広く当てて漏れを抑制できる。
【００２３】
（２）吸収性物品の実施形態
以下、図面を参照して、実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２４】
図１は、本実施形態に係る吸収性物品１０を肌面側から見た平面図であり、図２は、実施形態に係る吸収コア５０を肌面側から見た平面図である。図１及び図２に示す平面図は、吸収性物品１０を皺が形成されない状態まで伸張させた伸長状態を示している。図３は、図１に示すＡ−Ａ線に沿った断面図であり、図４は、図１に示すＢ−Ｂ線に沿った断面図である。本実施の形態の吸収性物品１０は、展開型の大人用の吸収性物品であるが、これに限定されない。吸収性物品１０は、パンツ型の吸収性物品であってもよいし、子供用の吸収性物品であってもよい。
【００２５】
吸収性物品１０は、互いに直交する前後方向Ｌ及び幅方向Ｗを有する。前後方向Ｌは、身体前側と身体後側とに延びる方向によって規定される。言い換えると、前後方向Ｌは、展開された吸収性物品１０において前後に延びる方向である。また、吸収性物品１０は、前後方向Ｌと幅方向Ｗの両方に直交する厚さ方向Ｔを有する。厚さ方向Ｔは、着用者側に向かう肌面側Ｔ１と、着用者から離れる側の非肌面側Ｔ２と、に延びる。本明細書において、「肌面側」は、使用中に着用者の肌に面する側に相当する。「非肌面側」は、使用中に着用者の肌とは反対に向けられる側に相当する。
【００２６】
吸収性物品１０は、前側域Ｓ１と、後側域Ｓ２と、股下域Ｓ３と、を有する。前側域Ｓ１は、使用時に着用者の身体前側に面する。後側域Ｓ２は、使用時に着用者の身体後側に面する。股下域Ｓ３は、前側域Ｓ１と後側域Ｓ２との間に位置し、使用時に着用者の股下に配置される。股下域Ｓ３は、吸収コア５０によって規定できる。具体的には、くびれ部５１を有する吸収コア５０においては、吸収コア５０のくびれ部５１が形成された領域が、股下域Ｓ３の前後方向Ｌの領域となる。くびれ部５１を有しない吸収コア５０においては、吸収コア５０の前後方向の長さを三等分したうちの中央の領域が、股下域Ｓ３の前後方向Ｌの領域となる。本実施の形態では、吸収コア５０のくびれ部５１の前端縁が、股下域Ｓ３と前側域Ｓ１の境界を規定し、吸収コアのくびれ部５１の後端縁が、股下域Ｓ３と後側域Ｓ２の境界を規定している。吸収性物品１０の前後方向Ｌの中心である物品中心１０ＣＬを有する。物品中心１０ＣＬは、股下域Ｓ３に位置する。
【００２７】
吸収性物品１０は、脚回り開口部６５を有する。脚回り開口部６５は、吸収性物品の本体部（吸収性物品において後述するファスニングテープ９４を除いた部分）の外側縁において幅方向Ｗの内側に凹んだ部分である。なお、本実施の形態において外側縁は、幅方向の外側の端縁であり、内側縁は、幅方向の内側の端縁である。
【００２８】
吸収性物品１０は、少なくとも股下域Ｓ３及び後側域Ｓ２に配置された吸収コア５０を有する。吸収コア５０は、股下域Ｓ３から前側域Ｓ１及び後側域Ｓ２へ延びていてよい。吸収コア５０は、例えば粉砕パルプもしくは高吸収性ポリマー（ＳＡＰ）、又はこれらの混合物を含む吸収材料の積層体であってよい。図３に示すように、吸収性物品１０は、吸収コア５０と、コアラップ５６と、を含む吸収体を有してよい。コアラップ５６は、吸収コア５０の肌面側と非肌面側を覆うように配置され、例えば、ティッシュや不織布シートであってよい。吸収コア５０の構成については、後述にて詳細に説明する。
【００２９】
図３及び図４に示すように、吸収性物品１０は、吸収コア５０の肌面側Ｔ１に位置する肌面シート４１と、吸収コア５０の非肌面側Ｔ２に位置する非肌面シート４２と、を有してよい。肌面シート４１は、表面シート４１ａと、サイドシート４１ｂと、を有してよい。表面シート４１ａは、液透過性を有し、吸収コア５０の少なくとも幅方向Ｗの中心を覆うように配置されてよい。サイドシート４１ｂは、疎水性を有する不織布からなり、吸収コア５０の幅方向Ｗの中心よりも幅方向Ｗの外側において、幅方向Ｗにおける表面シート４１ａの両側部を覆うように配置されてよい。非肌面シート４２は、液不透過性を有し、吸収コア５０よりも非肌面側に設けられてよい。非肌面シート４２は、液不透過性のバックフィルム４２ａと、バックフィルム４２ａの非肌面側Ｔ２に配置されたバック不織布４２ｂと、を有してよい。
【００３０】
吸収性物品１０は、起立性の防漏ギャザー６０を有してよい。防漏ギャザー６０は、表面シート４１ａの肌面側に位置し、表面シート４１ａに対して起立可能である。防漏ギャザー６０は、防漏弾性部材６６の収縮によって起立する収縮部６１と、収縮部６１の立ち上がりの基点となる基点部６２と、を有する。基点部６２は、収縮部６１よりも幅方向Ｗの外側に位置する第１基点部６２ａ（図３参照）と、収縮部６１よりも前後方向Ｌの外側に位置する第２基点部６２ｂ（図１参照）と、を有してよい。防漏弾性部材６６は、サイドシート４１ｂの内側縁に配置されており、サイドシート４１ｂの内側縁を着用者側に起立させる。
【００３１】
吸収性物品１０は、脚回り開口部６５に配置される脚回り弾性部材６７を有してよい。脚回り弾性部材６７は、吸収コア５０よりも幅方向Ｗの外側において前後方向に伸縮する。脚回り弾性部材６７は、左右それぞれに配置された２本の糸ゴムによって構成されており、前後方向に伸長された状態で肌面シート４１と非肌面シート４２の間に固定されている。脚回り弾性部材６７は、脚回り開口部６５に沿って配置されており、脚回り開口部６５を着用者の脚回りにフィットさせる。脚回り弾性部材６７は、サイドシート４１ｂとバックフィルム４２ａの間に配置されている。防漏弾性部材６６及び脚回り弾性部材６７は、前後方向Ｌに伸縮可能であり、前後方向Ｌに沿って配置されてよい。
【００３２】
吸収性物品１０は、後側域Ｓ２の幅方向Ｗの両外側部に設けられたファスニングテープ９４を有してよい。ファスニングテープ９４は、後側域において本体部から幅方向の外側に延出している。ファスニングテープ９４は、後側域Ｓ２の肌面シート４１及び非肌面シート４２に接合されるベース部９５と、ベース部９５に固定され、かつ前側域Ｓ１の非肌面に係合する係合部９６と、を有してよい。吸収性物品１０は、係合部９６から幅方向Ｗに延びる係合配置領域Ｒ９６を有する。本実施の形態の係合配置領域Ｒ９６は、前後方向に離間して複数の係合部９６が設けられており、係合配置領域Ｒ９６も、前後方向に離間して複数設けられている。図１において、係合配置領域Ｒ９６に斜線を付して示す。
【００３３】
次いで、吸収コア５０の構成について詳細に説明する。吸収コア５０には、スリットが形成されてよい。スリットは、吸収コア５０を構成する吸収材料が実質的に配置されていない部分である。スリットは、吸収材料の坪量が０の部分又は周囲からの零れた吸収材料が配置されているが、設計上の吸収材料が０の部分である。スリットは、吸収コア５０が力を受けた際に、変形を吸収したり、変形の基点となったりする。スリットは、一対のサイドスリット５２と中央スリット５５を有してよい。
【００３４】
図２に示すように、吸収コア５０は、一対のサイドスリット５２によって挟まれた第１領域Ｒ１と、サイドスリット５２と吸収コア５０の外側縁５０Ｓの間に位置する第２領域Ｒ２と、を有してよい。図２において、第１領域Ｒ１及び第２領域Ｒ２に異なる斜線を付して示す。第２領域Ｒ２は、各サイドスリット５２の幅方向Ｗの外側に位置し、一対で設けられている。第１領域Ｒ１及び第２領域Ｒ２は、サイドスリット５２から幅方向Ｗに沿って延びる領域である。中央スリット５５の少なくとも一部は、第１領域Ｒ１に配置されてよい。
【００３５】
サイドスリット５２は、幅方向Ｗに間隔を空けて一対で設けられ、少なくとも股下域Ｓ３に配置されてよい。サイドスリット５２の前端縁５２Ｆは、股下域Ｓ３に配置され、サイドスリット５２の後端縁５２Ｒは、股下域Ｓ３に配置されてよい。サイドスリット５２は、少なくとも前後方向Ｌに延びていればよく、前後方向Ｌに沿っていてもよいし、前後方向Ｌに対して傾斜する部分を有してもよい。サイドスリット５２の幅方向Ｗの長さは、一定であってもよいし、変化していてもよい。サイドスリット５２は、吸収コア５０の幅方向Ｗの中心に設けられなく、吸収コア５０の幅方向Ｗの中心に対して対称に一対で設けられてよい。
【００３６】
サイドスリット５２は、サイドスリットの内側縁が前側から後側に向かって幅方向の外側に延びる湾曲部５２Ｂを有する。湾曲部５２Ｂの少なくとも一部は、サイドスリットの前後方向の中心５２ＣＬよりも後側に位置してよい。サイドスリット５２は、サイドスリット５２の内側縁が前後方向に沿う直線部５２Ｓを有してよい。サイドスリット５２は、湾曲部５２Ｂのみを有してよいし、湾曲部５２Ｂと直線部５２Ｓを有していてもよい。サイドスリット５２の後端縁５２Ｒには、湾曲部５２Ｂが到達していてもよいし、直線部５２Ｓが到達していてもよい。本実施の形態の湾曲部５２Ｂは、サイドスリットの前後方向の中心５２ＣＬよりも後側のみに位置し、サイドスリット５２の後端縁５２Ｒに到達している。
【００３７】
サイドスリット５２の前側には、補助スリット５４が設けられていてもよい。補助スリット５４は、サイドスリット５２よりも前側に位置し、少なくとも前側域Ｓ１に配置されてよい。補助スリット５４の前端縁５４Ｆは、前側域Ｓ１に配置され、補助スリット５４の後端縁５４Ｒは、股下域Ｓ３に配置されてよい。補助スリット５４の少なくとも一部は、前側域Ｓ１において前側に向かって幅方向の外側に延びている。
【００３８】
補助スリット５４は、サイドスリット５２と一体化していてもよいし、離間していてもよい。本実施の形態の補助スリット５４は、サイドスリット５２と一体化して形成されている。補助スリット５４の後端縁５４Ｒは、サイドスリット５２の前端縁５２Ｆに連なってよい。補助スリット５４の後端縁５４Ｒは、吸収性物品１０の前後方向Ｌの中心よりも前側に位置してよく、吸収コア５０の前後方向Ｌの中心よりも前側に位置してよい。
【００３９】
補助スリット５４の幅は、サイドスリット５２の幅よりも短い。サイドスリット５２の幅は、サイドスリット５２の長手方向と直交する方向の長さであり、前後方向Ｌに延びるサイドスリット５２にあっては、幅方向の長さである。同様に、補助スリット５４の幅は、補助スリット５４の長手方向と直交する方向の長さであり、前後方向Ｌに延びる補助スリット５４にあっては、幅方向の長さである。サイドスリット５２と補助スリット５４が一体化した形態にあっては、サイドスリット５２と補助スリット５４の境界は、幅が変化する部分であってよい。なお、サイドスリット５２の幅及び補助スリット５４の幅が変化する構成にあっては、補助スリット５４の最大幅がサイドスリット５２の最大幅よりも短くてもよいし、補助スリット５４の平均幅がサイドスリット５２の平均幅よりも短くてもよい。
【００４０】
中央スリット５５は、幅方向Ｗにおいてサイドスリット５２の間に位置し、かつ前後方向Ｌに延びてよい。中央スリット５５は、幅方向においてサイドスリット５２と離間し、幅方向において補助スリット５４と離間してよい。中央スリット５５の少なくとも一部は、股下域Ｓ３に配置されてよい。中央スリット５５の前端縁５５Ｆは、股下域Ｓ３に配置され、中央スリット５５の後端縁５５Ｒは、後側域Ｓ２に配置されてよい。中央スリット５５は、物品中心１０ＣＬを跨っており、かつ物品中心１０ＣＬから後側に向かって延びている。中央スリット５５は、サイドスリット５２よりも後側に偏倚してよい。中央スリット５５の前端縁５５Ｆは、サイドスリット５２の前端縁５２Ｆ及び補助スリット５４の後端縁５４Ｒよりも後側に位置してよい。中央スリット５５の後端縁５５Ｒは、サイドスリット５２の後端縁５２Ｒよりも後側に位置してよい。中央スリット５５は、前後方向Ｌにおけるサイドスリットの湾曲部５２Ｂの全域に設けられていてよい。中央スリット５５は、少なくとも前後方向Ｌに延びていればよく、前後方向Ｌに沿っていてもよいし、前後方向Ｌに対して傾斜する部分を有してもよい。
【００４１】
次いで、このように構成された吸収性物品１０の変形態様について説明する。図５及び図６は、着用時に吸収体の変形状態を模式的に示した図である。図５は、Ａ−Ａ断面における吸収体の変形態様を模式的に示しており、図６は、Ｂ−Ｂ断面における吸収体の変形態様を示している。図５は、サイドスリット５２の直線部５２Ｓを通る断面であり、図６は、サイドスリット５２の湾曲部５２Ｂを通る断面である。図５（ａ）は、着用時に幅方向の内側に向かう力がかかった状態であり、図５（ｂ）は、図５（ａ）に示す状態から更に幅方向の内側に向かう力がかかった状態を示している。図５（ｃ）は、図５（ｂ）の状態において吸収パッドＰを併用した状態を示している。図６（ａ）は、着用時に幅方向の内側に向かう力がかかった状態であり、図６（ｂ）は、図６（ａ）に示す状態から更に幅方向の内側に向かう力がかかった状態を示している。図６（ｃ）は、図６（ｂ）の状態において吸収パッドＰを併用した状態を示している。図５（ｂ）、図５（ｃ）、図６（ｂ）及び図６（ｃ）において、着用者の身体のラインＢＬを模式的に示す。
【００４２】
吸収性物品１０が着用された状態で、吸収性物品１０が両脚によって挟まれることにより、股下域Ｓ３には、脚によって幅方向Ｗの内側に向かう力がかかる。図５（ａ）及び図６（ａ）に示すように、股下域Ｓ３の吸収体に幅方向Ｗの内側に向かう力がかかると、中央スリット５５及びサイドスリット５２を基点に吸収コア５０が変形し易い。このとき、湾曲部５２Ｂではサイドスリット５２の内側縁が後側に向かって幅方向Ｗの外側に延びているため、サイドスリット５２によって挟まれた第１領域Ｒ１の幅は、後方に向かって長くなる。図６（ａ）に示すＢ−Ｂ断面における第１領域Ｒ１の幅は、図５（ａ）に示すＡ−Ａ断面における第１領域Ｒ１の幅よりも長くなる。サイドスリット間の第１領域を後方に向かって広く設けることができ、吸収コア５０を臀部に対して広く当てて漏れを抑制できる。
【００４３】
また、湾曲部５２Ｂでは、サイドスリット５２によって挟まれた第１領域Ｒ１の幅が前方に向かって短くなる。直線部５２Ｓでは、サイドスリット５２によって挟まれた第１領域Ｒ１の幅が短いままとなる。よって、両足間に収まるように吸収コア５０を配置できる。よって、股間に対して吸収コア５０がフィットし、漏れを抑制できる。
【００４４】
サイドスリット５２によって挟まれた第１領域Ｒ１には、中央スリット５５が形成されている。中央スリット５５を基点に吸収コア５０が厚さ方向Ｔに変形する。より詳細には、着用時に幅方向の外側から内側に向かう力がかかった際に、図５（ａ）及び図６（ａ）の矢印Ｃに示すように、第１領域Ｒ１の外側縁（サイドスリット５２）を起点として、第１領域Ｒ１の内側縁が肌面側に向かうように、吸収コア５０が変形し易い。これにより、股下域Ｓ３の吸収コア５０は、中央スリット５５を頂点とした凸形状となるように変形し、凸形状の頂点が臀部間の隙間に配置される。臀部間の隙間に吸収コア５０が配置されることにより、体液を吸収コア５０に引き込み、体液が身体を伝わって流れることによる漏れを抑制できる。加えて、吸収コア５０に引き込まれた体液は、サイドスリット５２及び中央スリット５５を介して前後方向Ｌに拡散し易く、吸収コア全体に亘って吸収容量を有効活用できる。
【００４５】
また、吸収性物品１０と吸収パッドＰを併用する場合には、吸収性物品の肌面シート４１上に吸収パッドＰを載せる。図５（ｃ）に示すように、吸収コア５０がサイドスリット５２及び中央スリット５５を基点に厚さ方向Ｔに変形することにより、吸収パッドＰが身体側に押し上げられる。よって、吸収パッドＰを身体にフィットさせることができる。
【００４６】
また、図５（ｂ）及び図６（ｂ）に示すように、吸収コアがサイドスリットを基点に変形することにより、サイドスリットよりも幅方向の外側の第２領域Ｒ２が、サイドスリット間の領域に対して肌面側Ｔ１に移動する。図６（ｃ）に示すように、臀部に対向する領域において第２領域Ｒ２が第１領域Ｒ１の肌面側Ｔ１に位置することにより、吸収パッドＰの外側部を身体に押し上げることができる。よって、吸収パッドによって臀部の膨らみを覆うことができる。また、第２領域Ｒ２の幅方向の離間距離が長い形態にあっては、吸収パッドＰの両側縁に対して第２領域が当たるように第２領域Ｒ２の空間に吸収パッドＰを装着することにより、吸収パッドＰを安定して保持できる。
【００４７】
吸収性物品は、着用時に防漏ギャザー６０の収縮部６１によって肌側に引き上げる力がかかる。防漏ギャザーの収縮部６１は、吸収性物品の伸長状態において、第２領域Ｒ２と厚さ方向Ｔにおいて重なってよい。着用時に脚によって挟まれることにより、吸収コア５０には、幅方向の内側に向かう力がかかる。このとき、吸収コア５０の第２領域は、収縮部６１の収縮によって幅方向の内側かつ肌面側に引っ張られる。着用時に幅方向の内側に向かう力がかかった際に、第２領域Ｒ２が第１領域Ｒ１の肌面側Ｔ１（図５（ａ）及び図６（ａ）の矢印Ｂ）かつ幅方向の内側（図５（ａ）及び図６（ａ）の矢印Ａ）に引っ張られる。よって、第２領域Ｒ２が第１領域Ｒ１の肌面側Ｔ１かつ幅方向Ｗの内側に移動し、吸収パッドＰが身体側に押し上げられる。図５（ａ）及び図６（ａ）に示す状態において、第２領域Ｒ２が第１領域Ｒ１の肌面側Ｔ１かつ幅方向Ｗの内側に更に移動することにより、図５（ｂ）及び図６（ｂ）に示す状態となる。図５（ｂ）及び図６（ｂ）に示す状態では、第１領域Ｒ１と第２領域Ｒ２が厚さ方向Ｔにおいて重なっており、吸収体の厚さがより厚くなっている。
【００４８】
サイドスリット５２は、前記サイドスリットの幅方向の長さが前側から後側に向かって短くなる幅狭部５２Ｎを有してよい。吸収コア５０は、着用時に幅方向Ｗの内側に向かう力が掛かった際に、股下域Ｓ３の吸収体に幅方向Ｗの内側に向かう力がかかると、吸収コア５０のサイドスリット５２が変形し、第２領域Ｒ２が幅方向Ｗの内側に移動する（図５（ａ）及び図６（ａ）の矢印Ａ）。このサイドスリット５２の移動によって第２領域Ｒ２が移動できる最大長さは、サイドスリット５２の幅方向の長さとなる。幅狭部５２Ｎでは、後側に向かって幅方向の内側に入り込む長さが短くなり、吸収コアの幅方向の長さを確保し易い。よって、後側に向かって吸収コアの面積を広く確保ができ、後漏れを抑制できる。
【００４９】
なお、幅狭部５２Ｎは、湾曲部５２Ｂが配置されている部分であってよい。具体的には、本実施の形態のサイドスリット５２の外側縁は、前後方向に延びる直線状であり、サイドスリットの内側縁は、直線部５２Ｓと湾曲部５２Ｂを有する。湾曲部５２Ｂが配置された部分では、サイドスリットの幅は、変化する。また、サイドスリットは、幅狭部５２Ｎと、サイドスリットの幅が一定である幅広部５２Ｗと、を有してよい。幅広部５２Ｗは、直線部５２Ｓが配置された部分である。
【００５０】
なお、変形例において、サイドスリット５２の外側縁にも湾曲部５２Ｂが設けられ、湾曲部５２Ｂが配置された部分も幅広部５２Ｗを構成してもよい。また、サイドスリット５２の後端縁５２Ｒには、幅狭部５２Ｎが到達していてもよいし、幅広部５２Ｗが到達していてもよい。本実施の形態の幅狭部５２Ｎは、湾曲部５２Ｂが配置された部分と一致し、サイドスリット５２の後端縁５２Ｒに到達している。
【００５１】
中央スリット５５の幅方向の最大長さは、各サイドスリット５２の幅方向Ｗの最大長さよりも短くてよい。中央スリット５５は、サイドスリット５２と比較して、幅方向Ｗの長さが短く、小さい力であってもより変形し易くなる。臀部間の隙間に対向して配置される領域は、両足によって挟まれる領域よりも後側に位置し、脚による力を受けにくい。当該力が受けにくい領域においても、中央スリット５５を基点に吸収コア５０が変形し、臀部間の隙間に吸収コア５０をより配置し易くなる。
【００５２】
中央スリット５５の後端縁５５Ｒは、係合配置領域Ｒ９６よりも前側に位置してよい。係合配置領域Ｒ９６は、装着時に身体に密着する領域であり、吸収コア５０が厚さ方向Ｔに変形し難い。係合配置領域Ｒ９６に中央スリット５５を設けたとしても吸収コア５０の厚さ方向Ｔの変形に寄与し難い。係合配置領域Ｒ９６に中央スリット５５を設けないことにより、係合配置領域Ｒ９６における吸収容量を確保でき、後漏れを抑制できる。
【００５３】
サイドスリット５２の後端縁５２Ｒは、中央スリット５５の後端縁５５Ｒよりも前側に位置してよい。サイドスリット５２よりも後側の領域では、中央スリット５５のみを基点に吸収コア５０が変形する。臀部の隙間に沿うように吸収コア５０を変形させ、かつ中央スリット５５を挟んだ両側の領域によって、左右の臀部を覆い、横漏れを抑制できる。中央スリット５５の後端縁５５Ｒが係合配置領域Ｒ９６よりも前側に位置する構成にあっては、サイドスリット５２も係合配置領域Ｒ９６に設けられないため、係合配置領域Ｒ９６における吸収容量をより確保できる。
【００５４】
脚回り弾性部材は、中央スリット５５の後端縁５５Ｒよりも後側に延びてよい。中央スリット５５を頂点とした凸状に吸収コアが変形すると、吸収コアの外側部は、身体から離れる方向に変形する。このとき、吸収コアよりも幅方向の外側に位置する脚回り弾性部材の収縮によって、吸収コアの外側部が身体に近づいて配置される。脚回り弾性部材の後端縁が中央スリットの後端縁よりも後側に位置するため、中央スリットを頂点とした凸状に吸収コアが変形した場合に、吸収コアの外側部を身体から離れた状態のままとせず、吸収コアの外側部を身体にフィットさせることができる。よって、横漏れをより抑制できる。また、脚回り弾性部材６７は、中央スリット５５の前端縁５５Ｆよりも前側に延びてよい。
【００５５】
湾曲部５２Ｂの少なくとも一部は、物品中心１０ＣＬよりも後側に位置してよい。物品中心よりも後側において、サイドスリット間の領域を後側に向かって広く設けることができ、吸収コアを臀部に対して広く当てて漏れを抑制できる。
【００５６】
幅狭部５２Ｎの少なくとも一部は、物品中心１０ＣＬよりも後側に位置してよい。物品中心よりも後側において、吸収コアの幅方向の長さを確保し易く、吸収コアを臀部に対して広く当てて漏れを抑制できる。
【００５７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００５８】
１０    ：吸収性物品
１０ＣＬ  ：物品中心
５０    ：吸収コア
５２    ：サイドスリット
５２Ｆ    ：サイドスリットの前端縁
５２Ｒ    ：サイドスリットの後端縁
５２Ｂ    ：湾曲部
５２Ｓ    ：直線部
５２Ｎ    ：幅狭部
５２Ｗ    ：幅広部
５５    ：中央スリット
５５Ｆ    ：中央スリットの前端縁
５５Ｒ    ：中央スリットの後端縁
６７      ：脚回り弾性部材
９４      ：ファスニングテープ
９５      ：ベース部
９６      ：係合部
Ｒ１      ：第１領域
Ｒ２      ：第２領域
Ｒ９６    ：係合配置領域
Ｓ１    ：前側域
Ｓ２    ：後側域
Ｓ３    ：股下域
Ｌ      ：前後方向
Ｔ      ：厚さ方向
Ｔ１    ：肌面側
Ｔ２    ：非肌面側
Ｗ      ：幅方向
【図１】
2020010850.tif 000003
【図２】
2020010850.tif 000004
【図３】
2020010850.tif 000005
【図４】
2020010850.tif 000006
【図５】
2020010850.tif 000007
【図６】
2020010850.tif 000008